(57)【特許請求の範囲】
【請求項１】
ケースに配置される電源端子と、送り端子と、アース端子を有し、前記アース端子に接続されるアース線を挿入するアース線挿入穴、アースに関するアース表示、および前記アース線の接続解除を行うアース線解除部を備えたアースブロックと、前記電源端子に接続される電源線を挿入する電源線挿入穴と、前記送り端子に接続される送り線を挿入する送り線挿入穴とを前記ケース外面の同一平面上に配置した端子台において、前記同一平面上に直線状の溝を形成し、当該直線状の溝によって、前記アースブロックが配置される配置部を、前記電源線挿入穴および送り線挿入穴が配置される配置部より分離し、前記アース線解除部は、前記同一平面上に設けられた第１の孔部と、前記第１の孔部内に移動自在に設けられその移動により前記アース線の接続解除を行う第１の移動部を有し、前記直線状の溝は、前記第１の孔部の一部を通って、前記同一平面上の一端から他端までの全長にわたって設けられ、前記第１の孔部の周縁には前記第１の移動部側に突出する突起が前記同一面上の高さまで形成されていることを特徴とする端子台。
【請求項２】
前記アース表示を前記同一平面上のその他の表示より明度の高い表示としたことを特徴とする請求項１に記載の端子台。
【請求項３】
前記アース表示が緑色で表示されることを特徴とする請求項１又は請求項２に記載の端子台。
【請求項４】
前記アースブロックが配置される配置部の配置面を細かい凹凸で構成したことを特徴とする請求項１から請求項３のいずれかに記載の端子台。
【請求項５】
前記同一平面上に設けられた第２の孔部、前記第２の孔部内に移動自在に設けられその移動により前記電源線の接続解除を行う第２の移動部、前記第２の孔部の周縁より前記第２の移動部側に突出する突起を備えた電源線解除部と、前記同一平面上に設けられた第３の孔部、前記第３の孔部内に移動自在に設けられその移動により前記送り線の接続解除を行う第３の移動部、前記第３の孔部の周縁より前記第３の移動部側に突出する突起を備えた送り線解除部とを有することを特徴とする請求項１から請求項４のいずれかに記載の端子台。
【発明の詳細な説明】
【０００１】
【発明の属する技術分野】
本発明は、照明器具などに用いる端子台に関するものである。
【０００２】
【従来の技術】
従来の端子台として、特開平７−２２０７７６号に開示されたものがある。図６に端子台の上面図を示す。端子台本体５１の上面には、端子台本体５１内部の電源端子に接続される電源線が挿入される一対の電源線挿入穴５２，５２、端子台本体５１内部の送り端子に接続される送り線が挿入される一対の送り線挿入穴５３，５３、および端子台本体５１内部のアース端子に接続されるアース線が挿入される一対のアース線挿入穴５４，５４が設けられている。
【０００３】
この端子台は、図７にボディの形状を示すように、アース線挿入穴５４の配置される配置面６１を、電源線挿入穴５２および送り線挿入穴５３が配置される配置面６２より低くすることにより、各挿入穴を同一平面上に配置するものに比べて、アース線挿入穴５４を他の挿入穴と区別して分かりやすくしている。
【０００４】
【発明が解決しようとする課題】
このように、各挿入孔を同一平面上に配置するのに対して、アース線挿入穴を他の挿入孔より低くした場合の問題点を図８を用いて説明する。図８において、アース線６５がアース線挿入穴６６に挿入され、アース端子の係止片６７と導電板６８の間部に係止して導電板６８に接触し、電源線６９が電源線挿入穴７０に挿入され、アース端子の係止片７１と導電板７２の間部に係止して導電板７２に接触している。
【０００５】
図に示されるように、アース線挿入穴６６の配置面が電源線挿入穴７０の配置面より低いため、アース線６５をアース線挿入穴６６に挿入する際のガイド部７３の長さＰ１が、電源線６９を電源線挿入穴７０に挿入する際のガイド部７４の長さＰ２に比べて短くなる。ガイド部が短いために、アース線６５が斜めに入り、アース端子の接触部分に余分な負荷がかかって損傷したり、導電板６８へのアース線６５の接触が不安定となったりする恐れがあった。
【０００６】
また、反対に各挿入孔が配置される同一平面より、アース線挿入穴以外の挿入孔が配置される配置面を高くするようにして、アース線挿入穴を区別するようにすると、同一平面より配置面を高くすることで、端子台のサイズが大きくなってしまうという問題があった。
【０００７】
本発明は上記事由に鑑みて為されたものであり、その目的は、アース線挿入穴を他と区別可能としつつ、アース端子の損傷を抑えるとともにアース端子とアース線の接触が安定した端子台を提供することにある。
【０００８】
【課題を解決するための手段】
上記課題を解決するために、請求項１の発明は、ケースに配置される電源端子と、送り端子と、アース端子を有し、前記アース端子に接続されるアース線を挿入するアース線挿入穴、アースに関するアース表示、および前記アース線の接続解除を行うアース線解除部を備えたアースブロックと、前記電源端子に接続される電源線を挿入する電源線挿入穴と、前記送り端子に接続される送り線を挿入する送り線挿入穴とを前記ケース外面の同一平面上に配置した端子台において、前記同一平面上に直線状の溝を形成し、当該直線状の溝によって、前記アースブロックが配置される配置部を、前記電源線挿入穴および送り線挿入穴が配置される配置部より分離し、前記アース線解除部は、前記同一平面上に設けられた第１の孔部と、前記第１の孔部内に移動自在に設けられその移動により前記アース線の接続解除を行う第１の移動部を有し、前記直線状の溝は、前記第１の孔部の一部を通って、前記同一平面上の一端から他端までの全長にわたって設けられ、前記第１の孔部の周縁には前記第１の移動部側に突出する突起が前記同一面上の高さまで形成されていることを特徴とする。
【０００９】
請求項１の発明によれば、アースブロックが他と分離された配置部に配置されており、アース表示をもとにアース線挿入穴へのアース線の挿入やアース線の接続解除を電源線や送り線と間違うことなく行うことができる。また、溝により分離しているため、アースブロックの配置部を他の配置部より低くするなどして区別する必要がない。そのために、アース線挿入穴におけるアース線のガイド部が短くなりアース線が斜めに入ってしまう状態を防止することができ、アース線が接続されるアース端子へかかる負荷を抑えて損傷を防ぐとともに、アース端子へのアース線の接続不良を防ぐことが可能となる。また、請求項１の発明によれば、アースブロックが他からさらに明確に分離されるため、アース線挿入穴へのアース線の挿入やアース線の接続解除を電源線や送り線と間違って行う可能性がより小さくなる。さらに、請求項１の発明によれば、溝の形成位置を第１の孔部と共用することで、それらの形成されるスペースを小さくすることができ、端子台の小型化が図れる。また、請求項１の発明によれば、治具を用いて第１の移動部を移動させて、アース線の接続解除を行う際に、治具が突起により第１の移動部側にガイドされて第１の孔部の周縁と第１の移動部との間に侵入してしまうことがない。
【００１０】
また、請求項２の発明は、請求項１の発明において、前記アース表示を前記同一平面上のその他の表示より明度の高い表示としたことを特徴とする。請求項２の発明によれば、アース線挿入穴やアース線解除部が他と区別されて分かり易くなる。
【００１１】
また、請求項３の発明は、請求項１又は請求項２の発明において、前記アース表示が緑色で表示されることを特徴とする。請求項３の発明によれば、アース表示が一般のアース線の色と同一であるために、アース線挿入穴やアース線解除部が他と区別されてより分かり易くなる。
【００１３】
また、請求項４の発明は、請求項１から請求項３のいずれかに記載の発明において、前記アースブロックが配置される配置部の配置面を細かい凹凸で構成したことを特徴とする。請求項４の発明によれば、手で触るだけで簡単にアースブロックの配置部であることが分かる。
【００１６】
また、請求項５の発明は、請求項１から請求項４のいずれかに記載の発明において、前記同一平面上に設けられた第２の孔部、前記第２の孔部内に移動自在に設けられその移動により前記電源線の接続解除を行う第２の移動部、前記第２の孔部の周縁より前記第２の移動部側に突出する突起を備えた電源線解除部と、前記同一平面上に設けられた第３の孔部、前記第３の孔部内に移動自在に設けられその移動により前記送り線の接続解除を行う第３の移動部、前記第３の孔部の周縁より前記第３の移動部側に突出する突起を備えた送り線解除部とを有することを特徴とする。
【００１７】
請求項５の発明によれば、治具を用いて第２の移動部を移動させて、電源線の接続解除を行う際に、治具が突起により第２の移動部側にガイドされて第２の孔部の周縁と第２の移動部との間に侵入してしまうことがない。また、治具を用いて第３の移動部を移動させて、送り線の接続解除を行う際に、治具が突起により第３の移動部側にガイドされて第３の孔部の周縁と第３の移動部との間に侵入してしまうことがない。
【００１８】
【発明の実施の形態】
以下、図面を用いて本発明の実施形態を説明する。図１は本発明の端子台の構造を示す斜視図、図２は分解斜視図、図３は上面図を示している。端子台Ａは、樹脂製のボディ１と樹脂製のカバー２とで形成されるケース内に、それぞれが
電源端子と送り端子を兼用した速結端子板１１，１２と、アース端子部１３および速結端子板１４からなるアース端子とを備えている。カバー２の両側面に形成される係止孔２ａに、ボディ１の両側面に突出形成される係止爪１ａが係止して、カバー２がボディ１を覆うように取り付けられる。
【００１９】
ボディ１には、一端部に形成される一端壁１Ａとそれに対向して形成される対向壁１Ｂの間に上記速結端子板１４が配置される。この速結端子板１４の下縁と、ボディ１の背面に固定されたアース端子部１３のボディ１の底面側に孔部より導入された一端縁１３ａとが接触して導通し、アース端子を構成する。また、一端壁１Ａの反対側には、内壁１Ｃとその両側に設けられた両側壁１Ｄ，１Ｅの間にそれぞれ上記速結端子板１１，１２が配置されている。
【００２０】
また、カバー２外面の同一平面Ｂ（以下、平面Ｂという）上の一端側に、上記アース端子に接続されるアース線を挿入する一対のアース端子５ａ，５ｂが設けられ、それより中央寄りには電源線を挿入する一対の電源線挿入穴３ａ，３ｂがアース端子５ａ，５ｂを結ぶ線と直交する直交方向に並んで設けられるとともに、送り線を挿入する一対の送り線挿入穴４ａ，４ｂが同じく直交方向に並んで設けられている。
【００２１】
各電源線挿入穴３ａ，３ｂの間部、各送り線挿入穴４ａ，４ｂの間部には、それぞれ略Ｔ字形状の第２の孔部１６ａ（以下、孔部１６ａという）、第３の孔部１６ｂ（以下、孔部１６ｂという）が形成されている。この孔部１６ａ，１６ｂ内には切溝を介して形成される孔部１６ａ，１６ｂと対応するＴ字形状の移動片１７Ａ，１７Ｂが形成される。この移動片１７Ａ，１７Ｂは、中央の固定部１７Ｃで固定され、Ｔ字形状の上辺にあたる先端部１７ａ，１７ｂが電源線あるいは送り線の挿入方向に移動自在となっている。移動片１７Ａは第２の移動部に相当し、移動片１７Ｂは第３の移動部に相当する。これら孔部１６ａと移動片１７Ａとで電源線の接続解除を行う電源線解除部４０Ａが構成され、孔部１６ｂと移動片１７Ｂとで送り線の接続解除を行う送り線解除部４０Ｂが構成される。
【００２２】
また、一対のアース線挿入孔５ａ，５ｂと、電源線挿入穴３ｂおよび送り線挿入穴４ｂとの間部には、それぞれ略Ｔ字形状の第１の孔部に対応する孔部３３ａ，３３ｂが形成されており、その孔部３３ａ，３３ｂ内には切溝を介して、孔部３３ａ，３３ｂと対応するＴ字形状の移動片３４Ａ，３４Ｂ（第１の移動部）が形成される。この移動片３４Ａ，３４Ｂは、中央の固定部３４Ｃで固定され、Ｔ字形状の上辺にあたる先端部３４ａ，３４ｂがアース線の挿入方向に移動自在となっている。これら、孔部３３ａ，３３ｂと移動片３４Ａ，３４Ｂとでアース線とアース端子の接続解除を行うアース線解除部３９が構成される。
【００２３】
上記した孔部１６ａ，１６ｂ，３３ａ，３３ｂのＴ字形状の上辺に対応する部分の周縁に、移動片１７Ａ，１７Ｂ，３４Ａ，３４Ｂ側に突出する曲面形状の突起３６ａ，３６ｂ，３７ａ，３７ｂが形成されており、上記各先端部１７ａ，１７ｂ，３４ａ，３４ｂもそれに対応する形状となっている。
【００２４】
また、上記孔部３３ａ，３３ｂと、電源線挿入穴３ｂおよび送り線挿入穴４ｂとの間部には、アース線挿入孔５ａ，５ｂを結ぶ線と略平行方向に延びる直線状の溝６が平面Ｂ上の一端から他端にかけて貫通して形成されている。この溝６は、孔部３３ａのＴ字形状の上辺に対応する部分の片側縁７ａと、孔部３３ｂのＴ字形状の上辺に対応する部分の片側縁７ｂとを通って形成されている。また、図１に示すように、カバー２の平面Ｂ上におけるアース線挿入孔５ａ，５ｂの間部およびアース線挿入孔５ｂの近傍には、アース文字やアースマークなどのアースに関するアース表示８が緑色で表示されている。一方、平面Ｂ上における「φ１６φ２Ｃｕ単線専用」「送り」「電源」等の上記アース表示８以外の表示９は黒色で表示されている。
【００２５】
上記溝６により、カバー２の平面Ｂ上でアース線挿入孔５ａ，５ｂ、アース線解除部３９、およびアース表示８を備えたアースブロックが配置される配置部Ｃが、電源線挿入穴３ａ，３ｂ、送り線挿入穴４ａ，４ｂ、電源線解除部４０Ａ、および送り線解除部４０Ｂが配置される配置部Ｄより分離されている。
【００２６】
このように分離することで、アース表示８をもとにアースブロックを電源線挿入穴３ａ，３ｂや送り線挿入穴４ａ，４ｂと区別することができ、アース線挿入穴５ａ，５ｂに電源線や送り線を挿入するなどの間違いを防止できる。上述したようにアース表示８は緑色であり、表示９に比べて明度が高くなっており、アース線挿入穴やアース線解除部が他と区別されてより分かり易くなっている。また、アース表示８を緑色とし、一般のアース線の色と同一としたため、さらに分かり易くなっている。
【００２７】
特に、溝６が平面Ｂ上の一端から他端にかけて貫通して形成されているため、貫通していない場合に比べてアースブロックと他との区別がさらに明確にできる。また、溝６が貫通していることで、自動機で生産する際に、端子台の側面から光電管により光を当てたとき、この貫通した溝を光が通るため位置判定が容易にできる。
【００２８】
さらに、同一平面Ｂ上に配置部Ｃ，Ｄが設けられるため、従来例のように配置部Ｃを低くすることにより、アース線をアース線挿入穴に挿入する際のガイド部の長さが短くなってしまうのを防止できる。そのため、アース線がアース線挿入穴に斜めに入ることによるアース端子との接触不良やアース端子へ負荷がかかることによる損傷を抑えることができる。また、配置部Ｄを高くすることによる端子台の大型化も抑えることができる。
【００２９】
また、配置部Ｃと配置部Ｄを分離するものとして、溝を形成したが、参考例として、図５には、溝６と同方向に平面Ｂ上の一端から他端にかけて形成される凸部６ａを設けたものを示す。
【００３０】
また、配置部Ｃの配置面にはローレット目などの細かい凹凸が設けられており、配置部Ｄの表面は滑らかな面となっている。そのため、平面Ｂを手で触るだけでアースブロックを他より区別して知ることができ、間違うこともなくなる。
【００３１】
さらに、この溝６は、孔部３３ａのＴ字形状の上辺に対応する部分の片側縁７ａと、孔部３３ｂのＴ字形状の上辺に対応する部分の片側縁７ｂとを通って形成されているので、孔部３３ａ，３３ｂの一部と溝６を共用することで、それらを設けるスペースを小さくすることができ、端子台の小型化が図れる。また、図１に示すように、配置部Ｄにおける溝６付近に文字を表示する場合（図１ではφ１６φ２Ｃｕ単線専用にあたる）にその表示スペースを確保できる。
【００３２】
ところで、図２に示すようにボディ１に配置される速結端子板１１は、上記電源線および送り線が接続される電源送り接続部１１Ｐと、電源送り接続部１１Ｐと一体的に接続され、照明器具のような負荷と接続される接続部１１Ｑとからなる。
【００３３】
電源送り接続部１１Ｐは、電源線挿入穴３ａより挿入される電源線が接続される曲面状の電源線接続部１１ａと、送り線接続部４ａより挿入される送り線が接続される曲面状の送り線接続部１１ｂとが両側に設けられた接続片１１ｃと、その上部に一体的に設けられた山形状の鎖錠片１９とを有している。鎖錠片１９の一端側には、鎖錠片１９の幅より狭い幅の解除片１８ａが突出形成されており、解除片１８ａの形成されていない対向部１９ａは上記電源線接続部１１ａと対向し、対向部１９ａと電源線接続部１１ａとの間に上記電源線が接続される。また、鎖錠片１９の他端側には、鎖錠片１９の幅より狭い幅の解除片１８ｂが突出形成されており、解除片１８ｂの形成されていない対向部１９ｂは上記送り線接続部１１ｂと対向し、対向部１９ｂと送り線接続部１１ｂとの間に上記送り線が接続される。これら電源線と送り線の接続部は、速結構造を有している。
【００３４】
このように接続された電源線や送り線は、鎖錠片１９の両側に突出する解除片１８ａ，１８ｂを下方に移動させることにより、対向部１９ａ，１９ｂを下方に変位させて接続が解除される。解除片１８ａ，１８ｂは、上述したカバー２に設けられた移動片１７Ａ，１７Ｂ（図３参照）をマイナスドライバなどの治具で下方に押圧してやることで下方に移動する。
【００３５】
一方、速結端子板１１の接続部１１Ｑは、端部に上方に折り曲げられた折曲片２２が設けられており、その折曲片２２は左右両端と下端が切り離された２つの鎖錠片２２ａ，２２ａが形成されている。この鎖錠片２２ａ，２２ａの下端部には、カバー２の側面に設けられた電線挿入孔のうち図２における右端側にある２つの電線挿入孔２３ａ，２３ｂから、ボディ１の挿入孔２９ａ，２９ｂを介して挿入される電線が速結接続される。
【００３６】
速結端子板１２についても、速結端子板１１と同様の構造を有しており、電源線および送り線が接続される電源送り接続部１２Ｐと、電源送り接続部１２Ｐと一体的に接続され、照明器具のような負荷と接続される接続部１２Ｑとからなる。そして、電源送り接続部１２Ｐは、速結端子板１１と同様に、解除片２５ａ，２５ｂおよび対向部２４ａ，２４ｂを備えた鎖錠片２５、電源線挿入穴３ｂから挿入される電源線が接続される電源線接続部１２ａ、送り線が接続される送り線接続部１２ｂを有している。また、接続部１２Ｑは、接続部１１Ｑと同様に、鎖錠片２６ａ，２６ａを備えた折曲片２６を有しており、カバー２の側面に形成された電線挿入孔２３ｃ，２３ｄから、ボディ１の挿入孔２９ｃ、２９ｄを介して挿入される電線が鎖錠片２６ａ，２６ａのそれぞれに速結接続される。
【００３７】
また速結端子板１４は、アース線挿入穴５ａより挿入されるアース線が接続される曲面状のアース線接続部１４ａと、アース線接続部５ｂより挿入されるアース線が接続される曲面状のアース線接続部１４ｂとが両側に設けられた接続片１４ｃと、その上部に一体的に設けられた山形状の鎖錠片３０とを有している。鎖錠片３０の一端側には、鎖錠片３０の幅より狭い幅の解除片３０ａが突出形成されており、解除片３０ａの形成されていない対向部３１ａは上記アース線接続部１４ａと対向し、対向部３１ａとアース線接続部１４ａとの間に上記アース線が接続される。また、鎖錠片３０の他端側には、鎖錠片３０の幅より狭い幅の解除片３０ｂが突出形成されており、解除片３０ｂの形成されていない対向部３１ｂは上記アース線接続部１４ｂと対向し、対向部３１ｂとアース線接続部１４ｂとの間に上記アース線が接続される。これらアース線の接続部は、速結構造を有している。
【００３８】
このように接続されたアース線は、鎖錠片３０の両側に突出する解除片３０ａ，３０ｂを下方に移動させることにより、対向部３１ａ，３１ｂを下方に変位させて接続が解除される。この解除片３０ａ，３０ｂは、上述したカバー２に設けられた移動片３４Ａ，３４Ｂ（図３参照）をマイナスドライバなどの治具で下方に押圧してやることで下方に移動する。
【００３９】
このように構成された端子台は、ボディ１の両側面に設けられた取付爪４２が取付板４３の２ヶ所に設けられた取付穴４４に固定されて、取付板４３に取り付けられる。このとき、ボディ１の背面に設けられた突起（図示せず）が取付板４３に設けられた孔部４５に挿入されるとともに、ボディ１の背面に固定された上記アース端子部１３のボディ１の背面側に突出する他端縁１３ｂが孔部４５に挿入される。
【００４０】
ここで、速結構造にて速結端子板に接続された電線の接続解除方法を説明する。図４では、送り線接続部１１ｂに接続された送り線の接続解除方法を示すが、電源線やアース線の接続も同様である。マイナスドライバ２０等の治具を孔部１６ｂより挿入して移動片１７Ｂの先端部１７ｂを下方に移動させることにより、先端部１７ｂより下方に形成される延出片２８ａが鎖錠片１９の解除片１８ｂに当接して、解除片１８ｂが下方に移動する。これにより解除片１８ｂと同様に鎖錠片１９の対向部１９ｂ（図４では解除片１８ｂに向こう側に隠れて見えない）が下方に移動して、送り線２１の送り線接続部１１ｂへの接続が解除される。
【００４１】
移動片１７Ｂは、図４に示すようにその側面形状が、中央の固定部１７Ｃより端部へ延びる面に対して端部近傍で上方に向かうようにテーパー１７Ｐが設けられている。
【００４２】
上述したように、孔部１６ｂの周縁部３８には移動片１７Ｂ側に突出する凸部３６ｂが設けられているため、マイナスドライバ２０で先端部１７ｂを下方へ移動させるときに、マイナスドライバ２０が周縁部３８に寄ることなく移動片１７Ｂ側にガイドされ、さらに上記テーパー１７Ｐによりマイナスドライバ２０が固定部１７Ｃ側に寄っていき、周縁部３８と移動片１７Ｂの先端部１７ｂとの間の隙間Ｈにマイナスドライバ２０が侵入することなく、先端部１７ｂを下方に移動させることができる。
【００４３】
【発明の効果】
上述したように、請求項１の発明は、ケースに配置される電源端子と、送り端子と、アース端子を有し、前記アース端子に接続されるアース線を挿入するアース線挿入穴、アースに関するアース表示、および前記アース線の接続解除を行うアース線解除部を備えたアースブロックと、前記電源端子に接続される電源線を挿入する電源線挿入穴と、前記送り端子に接続される送り線を挿入する送り線挿入穴とを前記ケース外面の同一平面上に配置した端子台において、前記同一平面上に直線状の溝を形成し、当該直線状の溝によって、前記アースブロックが配置される配置部を、前記電源線挿入穴および送り線挿入穴が配置される配置部より分離し、前記アース線解除部は、前記同一平面上に設けられた第１の孔部と、前記第１の孔部内に移動自在に設けられその移動により前記アース線の接続解除を行う第１の移動部を有し、前記直線状の溝は、前記第１の孔部の一部を通って、前記同一平面上の一端から他端までの全長にわたって設けられ、前記第１の孔部の周縁には前記第１の移動部側に突出する突起が前記同一面上の高さまで形成されているため、アースブロックが他と分離された配置部に配置されており、アース表示をもとにアース線挿入穴へのアース線の挿入やアース線の接続解除を電源線や送り線と間違うことなく行うことができる。また、溝により分離しているため、アースブロックの配置部を他の配置部より低くするなどして区別する必要がない。そのために、アース線挿入穴におけるアース線のガイド部が短くなりアース線が斜めに入ってしまう状態を防止することができ、アース線が接続されるアース端子へかかる負荷を抑えて損傷を防ぐとともに、アース端子へのアース線の接続不良を防ぐことが可能となる。また、請求項１の発明によれば、前記直線状の溝は、前記同一平面上の一端から他端までの全長にわたって設けられていることによって、アースブロックが他からさらに明確に分離されるため、アース線挿入穴へのアース線の挿入やアース線の接続解除を電源線や送り線と間違って行う可能性がより小さくなる。さらに、請求項１の発明は、前記アース線解除部は前記同一平面上に設けられた第１の孔部と、前記第１の孔部内に移動自在に設けられその移動により前記アース線の接続解除を行う第１の移動部を有し、前記直線状の溝が前記第１の孔部の一部を通っているため、溝の形成位置を第１の孔部と共用することで、それらの形成されるスペースを小さくすることができ、端子台の小型化が図れる。また、請求項１の発明は、前記第１の孔部の周縁には前記第１の移動部側に突出する突起が形成されているため、治具を用いて第１の移動部を移動させて、アース線の接続解除を行う際に、治具が突起により第１の移動部側にガイドされて第１の孔部の周縁と第１の移動部との間に侵入してしまうことがない。
【００４４】
また、請求項２の発明は、請求項１の発明において、前記アース表示を前記同一平面上のその他の表示より明度の高い表示としたため、アース線挿入穴やアース線解除部が他と区別されて分かり易くなる。
【００４５】
また、請求項３の発明は、請求項１又は請求項２の発明において、前記アース表示が緑色で表示されるため、アース表示が一般のアース線の色と同一であるために、アース線挿入穴やアース線解除部が他と区別されてより分かり易くなる。
【００４７】
また、請求項４の発明は、請求項１から請求項３のいずれかに記載の発明において、前記アースブロックが配置される配置部の配置面を細かい凹凸で構成したため、手で触るだけで簡単にアースブロックの配置部であることが分かる。
【００５０】
また、請求項５の発明は、請求項１から請求項４のいずれかに記載の発明において、前記同一平面上に設けられた第２の孔部、前記第２の孔部内に移動自在に設けられその移動により前記電源線の接続解除を行う第２の移動部、前記第２の孔部の周縁より前記第２の移動部側に突出する突起を備えた電源線解除部と、前記同一平面上に設けられた第３の孔部、前記第３の孔部内に移動自在に設けられその移動により前記送り線の接続解除を行う第３の移動部、前記第３の孔部の周縁より前記第３の移動部側に突出する突起を備えた送り線解除部とを有するため、治具を用いて第２の移動部を移動させて、電源線の接続解除を行う際に、治具が突起により第２の移動部側にガイドされて第２の孔部の周縁と第２の移動部との間に侵入してしまうことがない。また、治具を用いて第３の移動部を移動させて、送り線の接続解除を行う際に、治具が突起により第３の移動部側にガイドされて第３の孔部の周縁と第３の移動部との間に侵入してしまうことがない。
【図面の簡単な説明】
【図１】本発明の実施形態に対応する端子台の構造を示す斜視図である。
【図２】同上の端子台の構造を示す分解斜視図である。
【図３】同上の端子台の構造を示す上面図である。
【図４】同上の端子台における電線の接続解除する際の状態を示す側面断面図である。
【図５】同上の他の端子台の構造を示す斜視図である。
【図６】従来の端子台の構造を示す上面図である。
【図７】従来の端子台におけるボディの構造を示す斜視図である。
【図８】従来の端子台の課題を説明するために用いる断面図である。
【符号の説明】
３ａ，３ｂ  電源線挿入穴
４ａ，４ｂ  送り線挿入穴
５ａ，５ｂ  アース線挿入穴
６    溝
８    アース表示
９    表示
３９  アース線解除部
Ａ    端子台
Ｂ    平面
Ｃ    配置部
Ｄ    配置部
【図１】
0004263828.tif 000002
【図２】
0004263828.tif 000003
【図３】
0004263828.tif 000004
【図４】
0004263828.tif 000005
【図５】
0004263828.tif 000006
【図６】
0004263828.tif 000007
【図７】
0004263828.tif 000008
【図８】
0004263828.tif 000009